(57)【要約】【課題】バッテリーの消費を抑えて遊技媒体の数又は額の値を表示することが可能な遊技媒体用貯留箱を提供すること。【解決手段】遊技媒体を貯留するための遊技媒体用貯留箱であって、前記遊技媒体が積載される底板と、側板とを備え、前記底板上の積載量が所定量以上であるときに、前記底板上の積載重量を計測するように構成された計測装置と、前記計測装置により計測された積載重量に基づいて、遊技媒体の数又は額の値を算出する計算装置と、前記計算装置により算出された値を表示する表示装置とを備えている。【選択図】図１
2008272098.tif 000002
【特許請求の範囲】
【請求項１】
遊技媒体を貯留するための遊技媒体用貯留箱であって、
前記遊技媒体が積載される底板と、側板とを備え、
前記底板上の積載量が所定量以上であるときに、前記底板上の積載重量を計測するように構成された計測装置と、
前記計測装置により計測された積載重量に基づいて、遊技媒体の数又は額の値を算出する計算装置と、
前記計算装置により算出された値を表示する表示装置と
を備えたことを特徴とする遊技媒体用貯留箱。
【請求項２】
前記遊技媒体は、導電性を有するものであり、
前記底板の上面には、第１電極が設けられ、
前記側板の内面における前記底板の内面から所定高さ以上の位置には、帯状の第２電極が設けられ、
前記計測装置は、前記第１電極及び前記第２電極と電気的に接続されており、前記底板上に積載された遊技媒体によって前記第１電極と前記第２電極との間が通電したときに、前記底板上の積載重量を計測するように構成されていることを特徴とする請求項１に記載の遊技媒体用貯留箱。
【請求項３】
前記底板より下側に、前記底板から所定間隔を空けて、基板が設けられ、
前記底板の下面には、第３電極が設けられ、
前記基板の上面には、第４電極が設けられ、
前記計測装置は、前記底板と前記基板との間に設けられ、前記第３電極及び前記第４電極と電気的に接続されており、前記底板上の積載重量によって前記底板が沈降することにより、前記第３電極及び前記第４電極とが接触したときに、前記底板上の積載重量を計測するように構成されていることを特徴とする請求項１に記載の遊技媒体用貯留箱。
【請求項４】
他の前記遊技媒体用貯留箱を重ね合わせることができるように構成され、
外側面又は底面には、導電体が設けられ、
内側面又は上端部には、その上に他の前記遊技媒体用貯留箱が重ね合わされたときに、その遊技媒体用貯留箱の前記導電体と接触する位置に、第５電極及び第６電極が設けられ、
前記計算装置は、空の遊技媒体用貯留箱の重量を示すデータを記憶する記憶装置を備えており、前記第５電極及び前記第６電極と電気的に接続され、前記他の遊技媒体用貯留箱の前記導電体を介して前記第５電極と前記第６電極との間が通電したときには、前記計測装置によって計測された積載重量から、前記データが示す重量を差し引いた値に基づいて、遊技媒体の数又は額を算出することを特徴とする請求項３に記載の遊技媒体用貯留箱。
【請求項５】
前記計算装置は、
前記積載重量を遊技媒体の数又は額の値に換算するための積載重量換算データを記憶する記憶装置と、
前記計測装置から入力される積載重量と、前記記憶装置に記憶された積載重量換算データとに基づいて、積載重量に基づく遊技媒体の数又は額の値を算出する演算装置と、
前記演算装置により算出された値を示すデータを、前記表示装置に出力する出力装置と
を備えたことを特徴とする請求項１〜４のいずれか１に記載の遊技媒体用貯留箱。
【請求項６】
遊技者の操作によって消費額が入力され得るように構成された入力装置を備え、
前記記憶装置は、前記消費額を遊技媒体の数又は額の値に換算するための消費額換算データを記憶し、
前記演算装置は、前記入力装置から入力される消費額と、前記記憶装置に記憶された消費額換算データとに基づいて、消費額に基づく遊技媒体の数又は額の値を算出し、消費額に基づく遊技媒体の数又は額の値から、前記積載重量に基づく遊技媒体の数又は額の値を差し引くことにより、遊技媒体の収支を算出する
ことを特徴とする請求項５に記載の遊技媒体用貯留箱。
【発明の詳細な説明】
【技術分野】
【０００１】
本発明は、例えば、パチンコ遊技装置、パチスロ遊技装置、スロットマシン等の遊技機から払い出される遊技媒体用貯留箱に関する。
【背景技術】
【０００２】
従来、貯留箱には、遊技機から払い出されるメダル等を貯留する。一般に、遊技者は、メダル等を貯留した貯留箱を遊技島のナンバーランプの上にある棚に載せたり、付近の通路に置いたりした状態で遊技を続けているが、貯留箱内のメダルの枚数を自席で確認することは困難であった。そこで、従来、遊技媒体の貯留重量から遊技媒体の数を算出して表示する機能を有する貯留箱が存在する（例えば、特許文献１〜３参照）。
【０００３】
【特許文献１】特開２００４−１２９９９５号公報
【特許文献２】特開２００４−１６００９０号公報
【特許文献３】特開２００６−３４６１６８号公報
【発明の開示】
【発明が解決しようとする課題】
【０００４】
しかしながら、貯留箱の重量表示を常時行っているとバッテリーの無駄使いであり、電池方式を採用した場合には、ホール全体の貯留箱でバッテリーが消耗されランニングコストが上昇する問題があった。一方、表示の指示入力を必要とすると、遊技者にとって手間がかかり煩わしいという問題があり、また表示停止の指示が入力されないと、少なくとも所定時間は額の表示がされるため、結局、バッテリーが消費されるという問題があった。
【０００５】
本発明は、上述した課題に鑑みてなされたものであり、その目的は、バッテリーの消費を抑えて遊技媒体の数又は額の値を表示することが可能な遊技媒体用貯留箱を提供することにある。
【課題を解決するための手段】
【０００６】
以上のような目的を達成するために、本発明は、以下のようなものを提供する。
（１）  遊技媒体を貯留するための遊技媒体用貯留箱であって、
前記遊技媒体が積載される底板と、側板とを備え、
前記底板上の積載量が所定量以上であるときに、前記底板上の積載重量を計測するように構成された計測装置と、
前記計測装置により計測された積載重量に基づいて、遊技媒体の数又は額の値を算出する計算装置と、
前記計算装置により算出された値を表示する表示装置と
を備えたことを特徴とする遊技媒体用貯留箱。
【０００７】
（１）の発明によれば、底板上の積載量が所定量以上であるときに、底板上の積載重量を計測し、その積載重量に基づいて遊技媒体の数又は額の値を算出し、その値を表示するため、底板上の積載量が所定量未満であれば、その表示は行われないことになる。従って、バッテリーの消費を抑えて遊技媒体の数又は額の値を表示することができる。
【０００８】
さらに、本発明は、以下のようなものを提供する。
（２）  前記（１）に記載の遊技媒体用貯留箱であって、
前記遊技媒体は、導電性を有するものであり、
前記底板の上面には、第１電極が設けられ、
前記側板の内面における前記底板の内面から所定高さ以上の位置には、帯状の第２電極が設けられ、
前記計測装置は、前記第１電極及び前記第２電極と電気的に接続されており、前記底板上に積載された遊技媒体によって前記第１電極と前記第２電極との間が通電したときに、前記底板上の積載重量を計測するように構成されていることを特徴とする。
【０００９】
（２）の発明によれば、底板上に積載された遊技媒体によって第１電極と第２電極との間が通電したときに、底板上の積載重量を計測し、その積載重量に基づいて遊技媒体の数又は額の値を算出し、その値を表示するため、底板上の積載量が所定量に達しなければ、その表示は行われないことになる。従って、バッテリーの消費を抑えて遊技媒体の数又は額の値を表示することができる。
【００１０】
さらに、本発明は、以下のようなものを提供する。
（３）  前記（１）に記載の遊技媒体用貯留箱であって、
前記底板より下側に、前記底板から所定間隔を空けて、基板が設けられ、
前記底板の下面には、第３電極が設けられ、
前記基板の上面には、第４電極が設けられ、
前記計測装置は、前記底板と前記基板との間に設けられ、前記第３電極及び前記第４電極と電気的に接続されており、前記底板上の積載重量によって前記底板が沈降することにより、前記第３電極及び前記第４電極とが接触したときに、前記底板上の積載重量を計測するように構成されていることを特徴とする。
【００１１】
（３）の発明によれば、底板上の積載重量によって底板が沈降し、第３電極と第４電極とが接触したときに、底板上の積載重量を計測し、その積載重量に基づいて遊技媒体の数又は額の値を算出し、その値を表示するため、底板上の積載量が所定量に達しなければ、その表示は行われないことになる。従って、バッテリーの消費を抑えて遊技媒体の数又は額を表示することができる。
【００１２】
さらに、本発明は、以下のようなものを提供する。
（４）  前記（３）の遊技媒体用貯留箱であって、
他の前記遊技媒体用貯留箱を重ね合わせることができるように構成され、
外側面又は底面には、導電体が設けられ、
内側面又は上端部には、その上に他の前記遊技媒体用貯留箱が重ね合わされたときに、その遊技媒体用貯留箱の前記導電体と接触する位置に、第５電極及び第６電極が設けられ、
前記計算装置は、空の遊技媒体用貯留箱の重量を示すデータを記憶する記憶装置を備えており、前記第５電極及び前記第６電極と電気的に接続され、前記他の遊技媒体用貯留箱の前記導電体を介して前記第５電極と前記第６電極との間が通電したときには、前記計測装置によって計測された積載重量から、前記データが示す重量を差し引いた値に基づいて、遊技媒体の数又は額を算出することを特徴とする。
【００１３】
（４）の発明によれば、遊技媒体用貯留箱を重ね合わせて積載重量を計測したときに、空の遊技媒体用貯留箱の重量が差し引かれるため、より正確な遊技媒体の数又は額の算出が可能となる。
【００１４】
さらに、本発明は、以下のようなものを提供する。
（５）  前記（１）〜（４）のいずれか１の遊技媒体用貯留箱であって、
前記計算装置は、
前記積載重量を遊技媒体の数又は額の値に換算するための積載重量換算データを記憶する記憶装置と、
前記計測装置から入力される積載重量と、前記記憶装置に記憶された積載重量換算データとに基づいて、積載重量に基づく遊技媒体の数又は額の値を算出する演算装置と、
前記演算装置により算出された値を示すデータを、前記表示装置に出力する出力装置と
を備えたことを特徴とする。
【００１５】
（５）の発明によれば、積載重量換算データに基づいて、積載重量から遊技媒体の数又は額の値を算出し、表示装置に表示することができる。
【００１６】
さらに、本発明は、以下のようなものを提供する。
（６）  前記（５）の遊技媒体用貯留箱であって、
遊技者の操作によって消費額が入力され得るように構成された入力装置を備え、
前記記憶装置は、前記消費額を遊技媒体の数又は額の値に換算するための消費額換算データを記憶し、
前記演算装置は、前記入力装置から入力される消費額と、前記記憶装置に記憶された消費額換算データとに基づいて、消費額に基づく遊技媒体の数又は額の値を算出し、消費額に基づく遊技媒体の数又は額の値から、前記積載重量に基づく遊技媒体の数又は額の値を差し引くことにより、遊技媒体の収支を算出する
ことを特徴とする。
【００１７】
（６）によれば、遊技者は、消費額を入力することにより、遊技媒体の収支を把握することが可能になる。
【発明の効果】
【００１８】
本発明によれば、バッテリーの消費を抑えて遊技媒体の数又は額の値を表示することが可能になる。
【発明を実施するための最良の形態】
【００１９】
［第１実施形態］
図１は、第１実施形態に係る遊技媒体用貯留箱を模式的に示す斜視図である。
図２は、図１に示す遊技媒体用貯留箱の断面図である。
【００２０】
遊技媒体用貯留箱１０は、側板１３と底板１４とを備えており、側板１３と底板１４とによって、導電性を有するメダルを貯留する矩形状の容体部１１が構成されている。容体部１１の長手方向の両端には、把手１２が設けられている。把手１２には、４桁の数字を表示可能なディスプレイ１７（表示装置）が設けられている。
【００２１】
ディスプレイ１７は、４つの７セグメントＬＥＤを備えている。また、把手１２には、複数のキーからなるキーパッド１８（入力装置）が設けられている。キーパッド１８は、「０」〜「９」のキーと、「入力」キーとからなる。遊技者は、キーパッド１８により、メダルの消費額を入力することができる。
【００２２】
底板１４の表面には、導電性金属からなるシート状の第１電極１５が設けられている。第１電極１５は、この形状に限定されるものではなく、その形状としては、例えば、網目状等を挙げることができる。
また、側板１３の所定の高さには、導電性金属からなる帯状の第２電極１６が設けられている。底板１４の下側には、底板１４と所定間隔を空けて、基板１９が設けられており、基板１９上には、重量計２０が設置されている。
【００２３】
重量計２０としては、特に限定されるものではなく、従来公知のものを採用可能である。重量計２０上には、底板１４が設置されている。底板１４は、側板１３には固定されていない。重量計２０は、第１電極１５及び第２電極１６とケーブル（図示せず）によって電気的に接続されている。
【００２４】
重量計２０は、底板１４上の積載重量を計測するものである。第１電極１５及び第２電極１６の間が通電していないときには、重量計２０は、オフであり、底板１４上の積載重量の計測は行われない。一方、図２に示すように、容体部１１に貯留されたメダル９０を介して第１電極１５及び第２電極１６の間が通電しているときには、重量計２０は、オンとなり、底板１４上の積載重量の計測が行われる。
【００２５】
把手１２には、マイクロコンピュータ２１（計算装置）（図示せず）が内蔵されている。マイクロコンピュータ２１は、重量計２０及びディスプレイ１７とケーブル（図示せず）により接続されている。重量計２０は、底板１４上の積載重量を計測すると、積載重量を示すデータを、マイクロコンピュータ２１に送信する。マイクロコンピュータ２１は、そのデータに基づいて、後述する演算を行い、得られた値を示すデータをディスプレイ１７に送信する。ディスプレイ１７は、そのデータが示す値を表示する。その結果、遊技者は、その値を認識することができる。
【００２６】
図３は、図１に示す遊技媒体用貯留箱のブロック図である。
マイクロコンピュータ２１（計算装置）は、ＲＯＭ２２及びＲＡＭ２３を備えている。ＲＯＭ２２は、底板１４の重量を示すデータ、メダル９０の一枚あたりの重量を示すデータ、メダル９０の一枚あたりの額を示すデータ、遊技者の操作により入力された消費額をメダルの数又は額に換算するための消費額換算データ等を記憶している。また、ＲＯＭ２２は、重量計２０から送信されるデータに基づいて、ディスプレイ１７に表示されるデータを算出するための算出プログラムを記憶している。
【００２７】
算出プログラムは、積載重量を示すデータと、メダル９０の一枚あたりの重量を示すデータとに基づいて、メダル９０の枚数を算出するためのプログラムである。また、算出プログラムは、メダル９０の枚数を示すデータと、メダル９０の一枚あたりの額を示すデータとに基づいて、メダル９０の額を算出するための機能を有する。
【００２８】
ＲＡＭ２３は、重量計２０から送信されるデータ、キーパッド１８から入力されるデータ、マイクロコンピュータ２１により行われた演算結果を示すデータ等を一時的に記憶する。マイクロコンピュータ２１は、重量計２０、キーパッド１８及びディスプレイ１７と接続されている。重量計２０は、第１電極１５及び第２電極１６と接続されている。
【００２９】
なお、本発明の遊技媒体用貯留箱は、メダル一枚あたりの重量や額が書換可能に構成されていてもよい。そのようにする場合、例えば、以下のような構成を採用することができる。すなわち、ＲＯＭ２２として、フラッシュメモリや、バッテリーバックアップＲＯＭ等の書換可能な不揮発性メモリを採用し、キーパッド１８を介して、遊技店の店員等により、メダル一枚あたりの重量を示すデータや、メダル一枚あたりの額を示すデータが入力されるように構成されていてもよい。
【００３０】
メダル９０を介して第１電極１５及び第２電極１６の間の通電が行われると、重量計２０は、底板１４上の積載重量を計測する。重量計２０は、積載重量を示すデータを、マイクロコンピュータ２１に送信する。
【００３１】
マイクロコンピュータ２１は、重量計２０から、積載重量を示すデータを受信すると、ＲＡＭ２３に記憶する。次に、マイクロコンピュータ２１は、ＲＯＭ２２に記憶された算出プログラムを読み出して実行し、ＲＡＭ２３に記憶された積載重量を示すデータと、メダル９０の一枚あたりの重量を示すデータとに基づいて、メダル９０の枚数を算出する。さらに、算出されたメダル９０の枚数に、メダル９０の一枚あたりの額を乗じて、メダル９０の額を算出する。算出されたメダル９０の枚数を示すデータをディスプレイ１７に送信する。ディスプレイ１７は、送信されたデータが示す値を表示する。
【００３２】
キーパッド１７の「０」〜「９」のキーにより、消費額（例えば、円：千円単位）が入力され、その後に、キーパッド１７の「入力」のキーが押圧されたときには、マイクロコンピュータ２１は、先ず、その消費額を示すデータをＲＡＭ２３に記憶する。次に、予め算出されてＲＡＭ２３に記憶されていたメダル９０の額を示すデータと、入力された消費額を示すデータとに基づいて、メダル９０の額から消費額を差し引いて、収支の額を算出し、そのデータをＲＡＭ２３に記憶する。マイクロコンピュータ２１は、収支の額を示すデータをディスプレイ１７に送信する。ディスプレイ１７は、送信されたデータが示す値を表示する。なお、図示しないが、遊技媒体用貯留箱１０は、バッテリーを備えており、供給される電力により動作するものである。
【００３３】
遊技媒体用貯留箱１０によれば、底板１４上に積載されたメダル９０によって第１電極１５と第２電極１６との間が通電したときに、底板１４上の積載重量を計測し、その積載重量に基づいてメダルの数を算出し、その値を表示するため、底板１４上の積載量が所定量に達しなければ、その表示は行われないことになる。従って、バッテリーの消費を抑えてメダルの数の値を表示することができる。
【００３４】
第１実施形態において、底板１４上の積載量は、底板１４上に載置されたメダルの量である。また、底板１４上の積載量が所定量以上であることとは、第１電極１５と第２電極１６との間が通電するメダル９０の量以上のメダル９０が底板１４上に積載されることをいう。
【００３５】
第１実施形態では、メダルの収支として、その額を表示する場合について説明したが、本発明は、この例に限定されず、例えば、メダルの収支として、その枚数を表示するものであってもよい。
【００３６】
［第２実施形態］
図４は、第２実施形態に係る遊技媒体用貯留箱を模式的に示す斜視図である。
図５は、図４に示す遊技媒体用貯留箱の断面図である。
【００３７】
遊技媒体用貯留箱３０は、側板３３と底板３４とを備えており、側板３３と底板３４とによって、導電性を有するメダルを貯留する矩形状の容体部３１が構成されている。容体部３１の長手方向の両端には、把手３２が設けられている。把手３２には、４桁の数字を表示可能なディスプレイ３７（表示装置）が設けられている。側板３３の上端部には、他の遊技媒体用貯留箱３０が嵌め込まれる嵌合部３３ａが設けられている。
【００３８】
ディスプレイ３７は、４つの７セグメントＬＥＤを備えている。また、把手３２には、複数のキーからなるキーパッド３８（入力装置）が設けられている。キーパッド３８は、「０」〜「９」のキーと、「入力」キーとからなる。遊技者は、キーパッド３８により、メダルの消費額を入力することができる。
【００３９】
嵌合部３３ａには、第５電極３５及び第６電極３６とが設けられている。また、遊技媒体用貯留箱３０の外周下側には、導電体５７が設けられている。嵌合部３３ａに他の遊技媒体用貯留箱３０が嵌合されると（図５参照）、他の遊技媒体用貯留箱３０の導電体５７を介して、第５電極３５と第６電極３６との間が通電する。
【００４０】
遊技媒体用貯留箱３０は、図５に示すように、二重構造を有している。外側は、外側板５３と基板３９とからなる矩形状の容器であり、その内側に、容体部３１を構成する側板３３と底板３４とからなる容器が設けられている。外側と内側との容器は、直接固定されておらず、基板３９と底板３４との間には、重量計４０が設けられている。底板３４の下面には、第３電極５５が設けられ、基板３９の上面には、第４電極５６が設けられている。重量計４０は、第３電極５５及び第４電極５６とケーブル（図示せず）によって電気的に接続されている。
【００４１】
重量計４０は、底板３４上の積載重量を計測するものである。第３電極５５及び第４電極５６の間が通電していないときには、重量計４０は、オフであり、底板３４上の積載重量の計測は行われない。一方、底板３４上の積載重量によって底板３４が沈降することにより、第３電極５５と第４電極とが接触すると、重量計４０は、オンとなり、底板３４上の積載重量の計測が行われる。
【００４２】
把手３２には、マイクロコンピュータ４１（計算装置）（図示せず）が内蔵されている。マイクロコンピュータ４１は、重量計４０及びディスプレイ３７とケーブル（図示せず）により接続されており、更に、第５電極３５及び第６電極３６とケーブル（図示せず）により接続されている。
【００４３】
重量計２０は、底板３４上の積載重量を計測すると、積載重量を示すデータを、マイクロコンピュータ４１に送信する。マイクロコンピュータ４１は、そのデータに基づいて、後述する演算を行い、得られた値を示すデータをディスプレイ３７に送信する。ディスプレイ３７は、そのデータが示す値を表示する。その結果、遊技者は、その値を認識することができる。
【００４４】
図６は、図４に示す遊技媒体用貯留箱のブロック図である。
マイクロコンピュータ４１（計算装置）は、ＲＯＭ４２及びＲＡＭ４３を備えている。また、マイクロコンピュータ４１は、第５電極３５及び第６電極３６とケーブル（図示せず）により電気的に接続されている。
【００４５】
ＲＯＭ４２は、空の遊技媒体用貯留箱３０の重量を示すデータ、遊技媒体用貯留箱３０の内側容器の重量を示すデータ、メダル９０の一枚あたりの重量を示すデータ、メダル９０の一枚あたりの額を示すデータ等を記憶している。また、ＲＯＭ４２は、重量計４０から送信されるデータに基づいて、ディスプレイ３７に表示されるデータを算出するための算出プログラムを記憶している。
【００４６】
算出プログラムは、積載重量を示すデータと、メダル９０の一枚あたりの重量を示すデータとに基づいて、メダル９０の枚数を算出するためのプログラムである。また、算出プログラムは、メダル９０の枚数を示すデータと、メダル９０の一枚あたりの額を示すデータとに基づいて、メダル９０の額を算出するための機能を有する。更に、算出プログラムは、第５電極３５及び第６電極３６の間の通電が行われたときに、他の遊技媒体用貯留箱３０が載置されたと判定し、積載重量を示すデータと、空の遊技媒体用貯留箱３０の重量を示すデータとに基づいて、積載重量から、空の遊技媒体用貯留箱３０の重量を減算し、その値を用いて、メダルの枚数等を算出するプログラムである。
【００４７】
ＲＡＭ２３は、重量計４０から送信されるデータ、キーパッド３８から入力されるデータ、マイクロコンピュータ４１により行われた演算結果を示すデータ等を一時的に記憶する。マイクロコンピュータ４１は、重量計４０、キーパッド３８及びディスプレイ３７と接続されている。重量計４０は、第３電極５５及び第４電極５６と接続されている。
【００４８】
遊技媒体用貯留箱３０では、以下のような処理が行われる。
（Ａ）底板３４が沈降して第３電極５５及び第４電極５６の間の通電が行われると、重量計４０は、底板３４上の積載重量を計測する。重量計４０は、積載重量を示すデータを、マイクロコンピュータ４１に送信する。
【００４９】
マイクロコンピュータ４１は、重量計４０から、積載重量を示すデータを受信すると、ＲＡＭ４３に記憶する。次に、マイクロコンピュータ４１は、ＲＯＭ４２に記憶された算出プログラムを読み出して実行し、ＲＡＭ４３に記憶された積載重量を示すデータと、メダル９０の一枚あたりの重量を示すデータとに基づいて、メダル９０の枚数を算出する。さらに、算出されたメダル９０の額を算出する。算出されたメダル９０の枚数を示すデータをディスプレイ３７に送信する。ディスプレイ３７は、送信されたデータが示すデータを表示する。
【００５０】
（Ｂ）キーパッド３７の「０」〜「９」のキーにより、消費額（例えば、円：千円単位）が入力され、その後に、キーパッド３７の「入力」のキーが押圧されたときには、マイクロコンピュータ４１は、先ず、その消費額を示すデータをＲＡＭ４３に記憶する。次に、予め記憶されてＲＡＭ４３に記憶されていたメダル９０の額を示すデータと、入力された消費額を示すデータとに基づいて、メダル９０の額から消費額を差し引いて、収支額を算出し、そのデータをＲＡＭ４３に記憶する。マイクロコンピュータ４１は、収支の額を示すデータをディスプレイ３７に送信する。ディスプレイ３７は、送信されたデータが示す値を表示する。
【００５１】
第５電極３５及び第６電極３６が通電しているときには、上記処理（Ａ）、（Ｂ）を行う前に、以下の処理を行う。
【００５２】
マイクロコンピュータ４１は、ＲＯＭ４２に記憶されている空の遊技媒体用貯留箱３０の重量を示すデータを読み出し、そのデータと、ＲＡＭ４３に記憶された積載重量を示すデータとを用いて、積載重量から、空の遊技媒体用貯留箱３０の重量を差し引き、得られた値を示すデータをＲＡＭ４３に記憶する。その後、その得られたデータを、積載重量を示すデータとして、上記処理（Ａ）、（Ｂ）を行う。その結果、より正確なメダルの数の表示を行うことができる。
【００５３】
遊技媒体用貯留箱３０によれば、底板３４上の積載重量によって底板３４が沈降し、第３電極５５及び第４電極５６が接触したときに、底板３４上の積載重量を計測し、その積載重量に基づいてメダル９０の額の値を算出し、その値を表示するため、底板３４上の積載量が所定量に達しなければ、その表示が行われないことになる。従って、バッテリーの消費を抑えてメダルの額を表示することができる。
【００５４】
第２実施形態では、底板１４上の積載量は、底板１４上（内側の容器内）に積載されたメダルの量、又は、そのメダルの量とメダルを貯留する他の遊技媒体用貯留箱３０とを加えた量である。また、底板１４上の積載量が所定量以上であることとは、第３電極５５と第４電極５６とが接触するまで底板３４を沈降させる量以上の積載量が底板１４上に積載されることをいう。本発明の遊技媒体用貯留箱は、貯留量が所定量以上になったときに、貯留重量を計測するものであり、貯留量が所定量以上になったか否かの判定を、バッテリーの電力を消費する装置を用いずに行うものである。
【００５５】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５６】
【図１】第１実施形態に係る遊技媒体用貯留箱を模式的に示す斜視図である。
【図２】図１に示す遊技媒体用貯留箱の断面図である。
【図３】図１に示す遊技媒体用貯留箱のブロック図である。
【図４】第２実施形態に係る遊技媒体用貯留箱を模式的に示す斜視図である。
【図５】図４に示す遊技媒体用貯留箱の断面図である。
【図６】図４に示す遊技媒体用貯留箱のブロック図である。
【符号の説明】
【００５７】
１０、３０  遊技媒体用貯留箱
１１、３１  容体部
１２、３２  把手
１３、３３  側板
１４、３４  底板
１５  第１電極
１６  第２電極
１７、３７  ディスプレイ（表示装置）
１８、３８  キーパッド（入力装置）
１９、３９  基板
２０、４０  重量計（計測装置）
２１、４１  マイクロコンピュータ（計算装置）
２２、４２  ＲＯＭ
２３、４３  ＲＡＭ
３５  第５電極
３６  第６電極
５５  第３電極
５６  第４電極
９０  メダル
【図１】
2008272098.tif 000003
【図２】
2008272098.tif 000004
【図３】
2008272098.tif 000005
【図４】
2008272098.tif 000006
【図５】
2008272098.tif 000007
【図６】
2008272098.tif 000008